(57)【要約】【課題】インターネット接続機能を搭載したＤＶＤを用いてＷｅｂサイトにアクセスする際のセキュリティ性に優れた認証方法を提供する。【解決手段】認証用動画データが記憶された記憶手段を備えた認証サーバ１と、インターネットを介して認証サーバ１とデータの送受信が可能であって、ＤＶＤを再生可能なクライアント装置２と、を用いた認証方法であって、クライアント装置２が、クライアント装置２に装着されたＤＶＤ１００に記録されている動画データを、認証サーバ１に送信する動画データ送信ステップと、認証サーバ１が、クライアント装置２から受信した動画データと、認証用動画データの全部又は一部とを照合して、一致と判断した場合には所定の許可処理を行い、不一致と判断した場合には所定の不許可処理を行う認証ステップと、を有する認証方法。【選択図】図１
2007323520.tif 000002
【特許請求の範囲】
【請求項１】
認証用動画データが記憶された記憶手段を備えた認証サーバと、
動画データを記録可能な記録ディスクと、
インターネットを介して前記認証サーバとデータの送受信が可能であって、前記記録ディスクを再生可能なクライアント装置と、
を用いた認証方法であって、
前記クライアント装置が、前記クライアント装置に装着された前記記録ディスクに記録されている動画データを、前記認証サーバに送信する動画データ送信ステップと、
前記認証サーバが、前記クライアント装置から受信した前記動画データと、前記認証用動画データの全部又は一部とを照合して、一致と判断した場合には所定の許可処理を行い、不一致と判断した場合には所定の不許可処理を行う認証ステップと、
を有することを特徴とする認証方法。
【請求項２】
前記クライアント装置が、前記認証サーバに動画データ特定情報を要求する動画データ特定情報要求ステップと、
前記認証サーバが、前記クライアント装置からの要求に応じて、前記動画データ特定情報を前記クライアント装置に送信する動画データ特定情報送信ステップ、
をさらに有し、
前記動画データ送信ステップにおいて、前記クライアント装置が、前記動画データ特定情報に基づいて特定された動画データを、前記認証サーバに送信する
ことを特徴とする請求項１記載の認証方法。
【請求項３】
前記動画データ特定情報が、タイムコードを用いて動画データを特定するものであることを特徴とする請求項２記載の認証方法。
【請求項４】
認証用動画データが記憶された記憶手段を備え、インターネットに接続された認証サーバであって、
インターネットを介したクライアント装置からの要求に応じて、動画データを特定するための動画データ特定情報を、前記クライアント装置に送信する動画データ特定情報送信手段と、
前記クライアント装置から送信された動画データと、前記認証用動画データの全部又は一部とを照合して、一致と判断した場合には所定の許可処理を行い、不一致と判断した場合には所定の不許可処理を行う認証手段と、
を有することを特徴とする認証サーバ。
【請求項５】
前記動画データ特定情報が、タイムコードを用いて動画データを特定するものであることを特徴とする請求項４記載の認証サーバ。
【請求項６】
認証要求プログラムと動画データとが記録された記録ディスクであって、
前記認証要求プログラムは、インターネットに接続されたコンピュータに、
インターネットを介して所定の認証サーバに動画データ特定情報を要求する動画データ特定情報要求ステップ、
前記認証サーバから受信した前記動画データ特定情報に基づいて特定された動画データを、前記記録ディスクから読み出して、前記認証サーバに送信する動画データ送信ステップ、
を実行させるものであることを特徴とする記録ディスク。
【請求項７】
前記動画データ特定情報が、タイムコードを用いて動画データを特定するものであることを特徴とする請求項６記載の記録ディスク。
【発明の詳細な説明】
【技術分野】
【０００１】
本発明は、インターネット接続機能を搭載したディジタルビデオディスク（Digital Versatile Discともいう。以下、「ＤＶＤ」という。）等の記録ディスクを用いてＷｅｂサイトにアクセスする際の認証方法に関する。
【背景技術】
【０００２】
インターネット接続機能を搭載したＤＶＤが、近年知られるようになってきている。かかるＤＶＤは、Internet Explorer（商標又は登録商標）等のＷｅｂブラウザがインストールされたインターネット接続環境にあるパーソナル・コンピュータ（以下、「パソコン」という。）で再生し、表示された画面においてバナー等の特定の画像を選択操作すると、その画像に結び付けられてＤＶＤに記録されているＵＲＬを指定してＷｅｂブラウザを起動するように構成されており、そのＵＲＬで示されるＷｅｂサイトにアクセスできることとなる。したがって、例えば、ＤＶＤで商品情報を閲覧後、Ｗｅｂサイトのオンラインショップで商品を購入できるようにしたり、ＤＶＤ購入者への特典として、購入者専用サイトにアクセスできるようにしたりすることができる。
【０００３】
なお、本発明の特許性に影響を与えるものではないが、画像を用いた認証方法として、下記特許文献１に記載されたものがある。
【特許文献１】特開２００１−９２７８５号公報
【発明の開示】
【発明が解決しようとする課題】
【０００４】
しかし、上記従来のＤＶＤでは、ＵＲＬが漏洩すると、例えばＤＶＤ購入者でなくても購入者専用サイトにアクセスできるといった問題があり、かかる問題を解決するために、別途ＩＤやパスワード等の認証用の情報を入力して認証を得なければそのサイトにアクセスできないようにしても、従来のＩＤやパスワードは数字や文字、記号からなる簡単なものであるため、ハッキング等により回線途中から漏洩すると、容易に読み取られてしまう等、セキュリティ性に劣るという問題があった。
【０００５】
この発明は、上述した問題を解決するものであり、インターネット接続機能を搭載したＤＶＤ等の記録ディスクを用いてＷｅｂサイトにアクセスする際のセキュリティ性に優れた認証方法を提供することを目的とする。
【課題を解決するための手段】
【０００６】
本発明の認証方法は、認証用動画データが記憶された記憶手段を備えた認証サーバと、動画データを記録可能な記録ディスクと、インターネットを介して前記認証サーバとデータの送受信が可能であって、前記記録ディスクを再生可能なクライアント装置と、を用いた認証方法であって、前記クライアント装置が、前記クライアント装置に装着された前記記録ディスクに記録されている動画データを、前記認証サーバに送信する動画データ送信ステップと、前記認証サーバが、前記クライアント装置から受信した前記動画データと、前記認証用動画データの全部又は一部とを照合して、一致と判断した場合には所定の許可処理を行い、不一致と判断した場合には所定の不許可処理を行う認証ステップと、を有することを特徴とする。
【０００７】
これによれば、認証用の情報として回線上を流れる情報が動画データであるため、ハッキング等により回線途中から漏洩しても読取りが困難であり、セキュリティ性に優れた認証方法を提供できる。
【０００８】
ここで、前記クライアント装置が、前記認証サーバに動画データ特定情報を要求する動画データ特定情報要求ステップと、前記認証サーバが、前記クライアント装置からの要求に応じて、前記動画データ特定情報を前記クライアント装置に送信する動画データ特定情報送信ステップ、をさらに有し、前記動画データ送信ステップにおいて、前記クライアント装置が、前記動画データ特定情報に基づいて特定された動画データを、前記認証サーバに送信することが好ましい。
【０００９】
これによれば、認証の度に異なる動画データを認証用の情報として用いることができるので、よりセキュリティ性に優れることとなる。
【００１０】
本発明の認証サーバは、認証用動画データが記憶された記憶手段を備え、インターネットに接続された認証サーバであって、インターネットを介したクライアント装置からの要求に応じて、動画データを特定するための動画データ特定情報を、前記クライアント装置に送信する動画データ特定情報送信手段と、前記クライアント装置から送信された動画データと、前記認証用動画データの全部又は一部とを照合して、一致と判断した場合には所定の許可処理を行い、不一致と判断した場合には所定の不許可処理を行う認証手段と、を有することを特徴とする。
【００１１】
この認証サーバは、本発明の認証方法に適したものであり、この認証サーバを用いれば、セキュリティ性に優れた認証方法を提供できる。
【００１２】
本発明の記録ディスクは、認証要求プログラムと動画データとが記録された記録ディスクであって、前記認証要求プログラムは、インターネットに接続されたコンピュータに、インターネットを介して所定の認証サーバに動画データ特定情報を要求する動画データ特定情報要求ステップ、前記認証サーバから受信した前記動画データ特定情報に基づいて特定された動画データを、前記記録ディスクから読み出して、前記認証サーバに送信する動画データ送信ステップ、を実行させるものであることを特徴とする。
【００１３】
この記録ディスクは、本発明の認証方法に適したものであり、この記録ディスクを用いれば、セキュリティ性に優れた認証方法を提供できる。なお、記録ディスクとは、円盤状の記録媒体を言い、ＤＶＤの他、ブルーレイディスク（商標又は登録商標）やＨＤ  ＤＶＤ（商標又は登録商標）等の所謂次世代ＤＶＤを含むものである。
【００１４】
また、前記動画データ特定情報は、タイムコードを用いて動画データを特定するものであることが好ましい。
【００１５】
動画データに付されている規格化されたタイムコードを用いて動画データを特定すれば、動画データの特定を容易かつ正確に行えるからである。
【発明の効果】
【００１６】
本発明によれば、回線上を流れる認証用の情報が動画データであるため、ハッキング等により回線途中から漏洩しても読取りが困難であり、セキュリティ性に優れた認証方法を提供できる。
【発明を実施するための最良の形態】
【００１７】
以下、本発明の一実施形態を図面に基づいて説明する。
【００１８】
図１は、認証サーバ１及びクライアント装置２を含む認証システムの全体構成を示すとともに、ユーザが、クライアント装置２において、Ｗｅｂサーバ３に格納（記憶）されている情報の閲覧を希望する場合の処理の流れの概略を示す図である。なお、クライアント装置２及びＷｅｂサーバ３はいずれも複数存在するが、説明を簡単にするために、１つのクライアント装置２及び１つのＷｅｂサーバ３を、代表として示して説明する。
【００１９】
認証サーバ１、クライアント装置２、及び、Ｗｅｂサーバ３は、インターネットを介して互いに接続されている。クライアント装置２には、記録ディスクとしてＤＶＤ１００が装着されている。クライアント装置２は、ユーザの操作に応じて、認証サーバに対して認証のための動画データを送信して認証を要求し（ステップＳ０１）、認証サーバ１はこれに応じて、認証できる（許可）か否（不許可）かを判断する。そして、認証サーバ１は、不許可の場合は不許可データをクライアント装置２に送信し（Ｓ０２）、許可の場合は許可データをＷｅｂサーバ３に送信する（Ｓ０３）。Ｗｅｂサーバ３は、許可データを参照して、クライアント装置２に所望の情報を送信し、閲覧させる（Ｓ０４）。
【００２０】
認証サーバ１は、単数又は複数のコンピュータを備えて構成され、図２に示すように、バスライン等で互いに接続された処理部１１、記憶部１２、通信インターフェース部１３、及び、入力部１４を備えている。処理部１１は、ＣＰＵ、ＲＯＭ、ＲＡＭ等により構成され、認証サーバ１にインストールされたプログラムに従って各種データ処理を行うものである。記憶部１２は、ハードディスク装置、フレキシブルディスク装置、コンパクトディスク装置等により構成され、各種プログラムやデータを記憶するものであり、記憶手段に相当する。通信インターフェース部１３は、通信回線に接続されて、インターネット等を介して他の機器とデータの送受信を行うためのものである。入力部１４は、マウス、キーボード等により構成され、各種データや指令を入力するためのものである。
【００２１】
記憶部１２には、Ｗｅｂページデータと認証用動画データとが記憶されており、また、記憶部１２内に構築された個盤・個人情報データベース１２１には、図４に示すように、個盤識別情報と個人情報と確認番号リストとが格納される。
【００２２】
Ｗｅｂページデータとは、所謂ホームページ等のＷｅｂページを表示するためのデータを言うものとし、例えばＨＴＭＬファイル等により構成される。以下の説明においては、Ｗｅｂページを単にページとも言い、Ｗｅｂページデータを単にページデータとも言う。
【００２３】
認証用動画データは、図３に示すように、１０個の動画データＤ１、Ｄ２、…、Ｄ１０（区別しないときは、「動画データＤ」と表記する。）からなっている。各動画データＤは、３０フレームからなり、１秒間の動画を再生可能なものである。なお、１フレームが１つの静止画像に相当し、５フレームで動画の１単位を構成する。例えば、図３の動画データＤ１は、６つの動画データｄ１１、…、ｄ１６からなり、動画データｄ１１は、５つのフレームＦ１１１、…、Ｆ１１５からなっている。
【００２４】
各動画データＤには、タイムコードが付されている。タイムコードとは、記録媒体に映像データと共に記録される信号であり、その記録媒体内における各フレームの絶対番地（アドレス）を示すものである。なお、タイムコードについては周知であるので、詳しい説明は省略する。本実施形態では、動画データＤ１、Ｄ２、…、Ｄ１０は、それぞれタイムコードが付された状態で記憶されている。例えば、図３の例では、動画データＤ１内のフレームＦ１１１のタイムコードは00:00:00:00、動画データＤ２内のフレームＦ２１２のタイムコードは00:00:01:01、動画データＤ３のフレームＦ０６５のタイムコードは00:00:09:29である。
【００２５】
個盤識別情報は、各ＤＶＤを識別可能な情報であり、本実施形態ではＤＶＤ毎に異なる番号を用いる。個盤識別情報は、ＤＶＤ作成時にＤＶＤに記録されるとともに、記憶部１２に記憶される。
【００２６】
個人情報は、クライアント装置２においてユーザが入力した個人情報であり、図４に示すように、ユーザの氏名、性別、生年月日等を含み、個盤識別情報に１対１に対応付けられて記憶部１２に記憶される。
【００２７】
確認番号リストとは、２桁の数字からなる確認番号を２５個並べたものであり、図４に示すように、各確認番号は「ア−１」欄から「オ−５」欄までの２５個の欄に１対１に対応付けられる。この確認番号リストも、個盤識別情報に１対１に対応付けられて個盤・個人情報データベース１２１に格納される。また、確認番号リストは、図７の符号９１で示すように、確認番号カード９に印刷される。確認番号とは、認証に用いる動画データＤを特定するための番号であり、確認番号を構成する数字１、…、９、０は、動画データＤ１、…、Ｄ９、Ｄ１０に対応する。例えば、確認番号が５２であれば、後述するように動画データＤ５及びＤ２を認証に用いることとなる。
【００２８】
処理部１１は、インターネットを介してクライアント装置２から受信した個人情報を個盤・個人情報データベース１２１に格納する個人情報登録手段、インターネットを介したクライアント装置２からの要求に応じて、動画データを特定するための動画データ特定情報を、通信インターフェース部１３を介して、クライアント装置２に送信する動画データ特定情報送信手段、及び、クライアント装置２から送信された動画データと認証用動画データの全部又は一部とを照合して、一致と判断した場合には所定の許可処理を行い、不一致と判断した場合には所定の不許可処理を行う認証手段、として機能する。
【００２９】
本実施形態における許可処理は、所定の許可データをＷｅｂサーバ３に送信する処理とする。この許可データには、クライアント装置２から送信されたクライアント装置２のＩＰアドレスと、視聴カテゴリー識別情報とが、含まれている。視聴カテゴリー識別情報は、視聴を許可するカテゴリーを識別可能な情報であり、本実施形態では、ユーザの性別及び年齢を示す情報とし、認証サーバ１が個人情報から生成するものとする。また、不許可処理は、所定の不許可データをクライアント装置２に送信する処理とする。
【００３０】
クライアント装置２は、ＤＶＤを再生可能であるとともに、Ｗｅｂブラウザがインストールされてインターネット接続環境にあるパソコンであり、図５に示すように、バスライン等で互いに接続された処理部２１、記憶部２２、通信インターフェース部２３、入力部２４、及び、表示部２５を備えている。
【００３１】
処理部２１は、ＣＰＵ、ＲＯＭ、ＲＡＭ等により構成され、クライアント装置２にインストールされたプログラムに従って各種データ処理を行うものである。記憶部２２は、ハードディスク装置、ＤＶＤ装置２２１等により構成され、各種プログラムやデータを記憶するものである。ＤＶＤ装置２２１はＤＶＤ読取り機能を有し、図５に示すように、ＤＶＤ装置２２１に、動画データ、画面データ、個人情報登録プログラム、及び、認証要求プログラム等が記録されたＤＶＤ１００が装着されることにより、記憶部２２が、それらのデータやプログラム等を有する状態となる。通信インターフェース部２３は、通信回線に接続されて、インターネット等を介して他の機器とデータの送受信を行うためのものである。入力部２４は、マウス、キーボード等により構成され、各種データや指令を入力するためのものである。表示部２５は、ディスプレイ装置により構成されている。
【００３２】
ＤＶＤ１００は、動画データ、画面データ、個人情報登録プログラム、及び、認証要求プログラム等が記録されたＤＶＤである。
【００３３】
個人情報登録プログラムは、クライアント装置２に、インターネットを介して認証サーバ１に個人情報を送信する個人情報送信ステップを実行させるプログラムである。
【００３４】
認証要求プログラムは、クライアント装置２に、インターネットを介して認証サーバ１に動画データ特定情報を要求する動画データ特定情報要求ステップ、及び、認証サーバ１から受信した動画データ特定情報に基づいて特定された動画データを、ＤＶＤ１００から読み出して認証サーバ１に送信する動画データ送信ステップ、を実行させるプログラムである。
【００３５】
ＤＶＤ１００に記録されている動画データには、認証サーバ１内の認証用動画データと同じ動画データＤ１、…、Ｄ１０が、認証サーバ１内の認証用動画データと同じタイムコードが付された状態で、含まれている。ＤＶＤ１００に記録されている動画データには、ユーザが視聴するビデオデータも含まれているが、動画データＤ１、…、Ｄ１０はかかるビデオデータの一部であってもよい。
【００３６】
処理部２１は、個人情報登録プログラムに従って動作することにより、インターネットを介して認証サーバ１に個人情報を送信する個人情報送信手段として機能する。
【００３７】
また、処理部２１は、認証要求プログラムに従って動作することにより、インターネットを介して認証サーバ１に動画データ特定情報を要求する動画データ特定情報要求手段、及び、認証サーバ１から受信した動画データ特定情報に基づいて特定された動画データを、ＤＶＤ１００から読み出して認証サーバ１に送信する動画データ送信手段、として機能する。
【００３８】
Ｗｅｂサーバ３は、単数又は複数のコンピュータを備えて構成され、バスライン等で互いに接続された処理部、記憶部、通信インターフェース部、及び、入力部を備えている。Ｗｅｂサーバ３の処理部は、ＣＰＵ、ＲＯＭ、ＲＡＭ等により構成され、Ｗｅｂサーバ３にインストールされたプログラムに従って各種データ処理を行うものである。Ｗｅｂサーバ３の記憶部は、ハードディスク装置、フレキシブルディスク装置、コンパクトディスク装置等により構成され、各種プログラムや、Ｗｅｂページデータを含む各種のデータを記憶するものである。Ｗｅｂサーバ３の通信インターフェース部は、通信回線に接続されて、インターネット等を介して他の機器とデータの送受信を行うためのものである。Ｗｅｂサーバ３の入力部は、マウス、キーボード等により構成され、各種データや指令を入力するためのものである。
【００３９】
次に、認証サーバ１及びクライアント装置２を用いた認証方法について、図６に基づいて説明する。
【００４０】
まず、ＤＶＤ１００及び確認番号カード９の作成について説明する。ＤＶＤ１００の作成者は、ＤＶＤ製作装置（図示せず）を用いて、個盤識別情報、動画データ、画面データ、個人情報登録プログラム、及び、認証要求プログラム等をＤＶＤ１００に記録する。また、確認番号カード９の作成者は、２５個の２桁の数字をランダムに生成する。そして、印刷装置（図示せず）を用いて、図７の符号９１に示すように、それらの数字が「ア−１」欄から「オ−５」欄までの２５個の欄に格納された確認番号リストを、確認番号カード９に印刷するとともに、問合せ番号としてＤＶＤ１００の個盤識別情報を確認番号カード９に印刷する。確認番号カード９は、そのカード９上に印刷された個盤識別情報と同じ個盤識別情報を持つＤＶＤ１００と共に、ユーザ（視聴者）に渡される。
【００４１】
認証サーバ１の運用者は、ＤＶＤ１００の個盤識別情報と、そのＤＶＤ１００と同じ個盤識別情報を持つ確認番号カード９に付される確認番号リスト（すなわち、２５個の２桁の数字の列）とを、認証サーバ１に入力部１４を用いて入力し、認証サーバ１は、その個盤識別情報と確認番号リストとを個盤・個人情報データベース１２１に登録（記憶）する（図６のステップＳ１００）。
【００４２】
ユーザは、ＤＶＤ１００をクライアント装置２に装着し、読込み操作を行う（Ｓ１０１）。これに応じて、クライアント装置２は、ＤＶＤ１００内の画面データに基づいて、図８に示すような視聴方法選択画面を、表示部２５に表示する（Ｓ１０２）。視聴方法選択画面には、ＰＣボタン４１とＤＶＤプレーヤーボタン４２とが設けられており、ユーザが入力部２４を用いてＰＣボタン４１を選択操作（例えばクリック）すると、クライアント装置２は、ＤＶＤ１００内の画面データに基づいて、図９に示すような登録・認証・変更画面を、表示部２５に表示する（Ｓ１０３）。
【００４３】
登録・認証・変更画面には、登録ボタン４３、認証ボタン４４、変更ボタン４５、戻るボタン４６、及び、０から９までの番号キーＫ０、Ｋ１、…、Ｋ９（区別しないときは、「番号キーＫ」と表記する。）が設けられている。戻るボタン４６は、１つ前の画面に戻るためのボタンである。各番号キーＫは、番号キーＫ１には動画データＤ１、番号キーＫ２には動画データＤ２、…、番号キーＫ０には動画データＤ１０、というようにＤＶＤ１００内の動画データＤ１、…、Ｄ１０に１対１に対応付けられている。
【００４４】
ユーザが登録ボタン４３を選択操作すると、クライアント装置２は、個人情報登録プログラムに従って、認証サーバ１内の個人情報登録ページデータを要求するＵＲＬを指定して、Ｗｅｂブラウザを起動する。すなわち、クライアント装置２は個人情報登録ページデータの送信を要求する（Ｓ１０４）。これに応じて、認証サーバ１は、個人情報登録ページデータをクライアント装置２に送信する（Ｓ１０５）。クライアント装置２は、受信したデータに基づいて、図１０に示すような個人情報登録ページを、表示部２５に表示する（Ｓ１０６）。個人情報登録ページには、氏名、性別等の個人情報の入力欄、登録ボタン４７、修正ボタン４８、及び、戻るボタン４９が設けられている。修正ボタン４８は、入力内容をクリアするためのボタンであり、戻るボタン４９は、１つ前の画面に戻るためのボタンである。
【００４５】
ユーザが入力部２４を用いて入力欄に個人情報を入力し、登録ボタン４７を選択操作すると、クライアント装置２は、入力された個人情報を、ＤＶＤ１００の個盤識別情報と共に、認証サーバ１に送信する（個人情報送信ステップ  Ｓ１０７）。認証サーバ１は、受信した個盤識別情報と同じ個盤識別情報に対応付けて、受信した個人情報を個盤・個人情報データベース１２１（図４参照）に登録する（Ｓ１０８）。なお、認証サーバ１は、受信した個盤識別情報と同じ個盤識別情報が個盤・個人情報データベース１２１内に登録されていない場合には、登録不可を示すデータをクライアント装置２に送信し、クライアント装置２は、登録不可の旨を表示部２５に表示する。
【００４６】
次に、ユーザは、例えば購入者専用サイトの閲覧等、認証が必要な情報を閲覧する場合、登録・認証・変更画面を表示部２５に表示させる（Ｓ１０９）。ユーザが、認証ボタン４４を選択操作すると、クライアント装置２は、認証要求プログラムに従って、認証サーバ１内の確認番号指定ページデータを要求するＵＲＬを指定して、Ｗｅｂブラウザを起動する。すなわち、クライアント装置２は確認番号指定ページデータの送信を要求する（動画データ特定情報要求ステップ  Ｓ１１０）。このとき、クライアント装置２はＤＶＤ１００の個盤識別情報を、認証サーバ１に送信する。
【００４７】
なお、認証ボタン４４は、例えば認証を要する特別のサイトを表すバナー等であってもよく、かかるサイトが複数ある場合には、登録・認証・変更画面に複数設けられていてもよい。
【００４８】
これに応じて、認証サーバ１は、「ア−１」から「オ−５」までの２５個の欄からランダムに２つの欄を選択して、それらの欄の識別情報を表示する確認番号指定ページデータをクライアント装置２に送信する（動画データ特定情報送信ステップ  Ｓ１１１）。このとき、認証サーバ１は、選択した欄に対応する確認番号で示される動画データの各々について、その動画データのどこからどこまでを取り出すかを示すタイムコード（本実施形態では、取り出す範囲の始点のタイムコードと終点のタイムコードとする。）を、その動画データに付されたタイムコードの範囲内でランダムに選択し、確認番号指定ページデータと共にクライアント装置２に送信する。
【００４９】
図３及び図４の例で説明すると、認証サーバ１は、受信した個盤識別情報が例えば5473256-1096803であった場合において、「ウ−２」「オ−５」の２つの欄を選択した場合、個盤・個人情報データベース１２１を参照すれば、個盤識別情報5473256-1096803の「ウ−２」「オ−５」の欄に対応する確認番号は、「６６」「５２」であることから、動画データＤ６、Ｄ６、Ｄ５、Ｄ２がこの順に認証に用いられることが分かる。そこで、認証サーバ１は、クライアント装置２に対して、動画データＤ６、Ｄ６、Ｄ５、Ｄ２のどこからどこまでを送信すればよいかを、動画データＤ６、Ｄ６、Ｄ５、Ｄ２に付されたタイムコードで示す。
【００５０】
図３の例では、動画データＤ６にはタイムコード00:00:05:00から00:00:05:29まで、動画データＤ５にはタイムコード00:00:04:00から00:00:04:29まで、動画データＤ２にはタイムコード00:00:01:00から00:00:01:29までが付されているので、例えば、00:00:05:10、00:00:05:20、00:00:05:05、00:00:05:17、00:00:04:00、00:00:04:10、00:00:01:01、00:00:01:04というデータを、「ウ−２」「オ−５」を示すデータと共に、クライアント装置２に送信する。これは、「ウ−２」欄に対応する確認番号「６６」の１桁目の「６」に対応する動画データＤ６からは、タイムコード00:00:05:10から00:00:05:20まで、２桁目の「６」に対応する動画データＤ６からは、タイムコード00:00:05:05から00:00:05:17まで、「オ−５」欄に対応する確認番号「５２」の１桁目の「５」に対応する動画データＤ５からは、タイムコード00:00:04:00から00:00:04:10まで、２桁目の「２」に対応する動画データＤ２からは、タイムコード00:00:01:01から00:00:01:04までを読み出して、認証サーバ１に送信すればよいことを示している。なお、動画データＤ２のタイムコード00:00:01:01から00:00:01:04までとは、図３の例では、フレームＦ２１２からＦ２１５までに相当する。
【００５１】
このように、認証サーバ１は、クライアント装置２に対して、２つの欄の識別情報及び８つのタイムコード（すなわち、始点のタイムコードと終点のタイムコードとの組４組）を送信する。本実施形態では、これら欄の識別情報及びタイムコードが、送信すべき動画データを特定するための動画データ特定情報に相当する。認証サーバ１は、個盤識別情報に結び付けて、送信した動画データ特定情報を記憶部１２に記憶しておく。
【００５２】
クライアント装置２は、動画データ特定情報を受信し、それに基づいて、図１１に示すような確認番号指定ページを、表示部２５に表示する（Ｓ１１２）。確認番号指定ページには、欄表示部５１と戻るボタン５２とが設けられている。欄表示部５１には、認証サーバ１から受信した２つの欄の識別情報「ウ−２」「オ−５」が表示される。戻るボタン５２は、１つ前の画面（ここでは、登録・認証・変更画面）に戻るためのボタンである。
【００５３】
ユーザは、表示された欄の識別情報「ウ−２」「オ−５」を見て、確認番号カード９のその欄に対応する確認番号「６６」「５２」を、この順に、登録・認証・変更画面において番号キーＫで選択操作する（Ｓ１１３）。すなわち、確認番号が「６６」「５２」であれば、番号キーＫ６、Ｋ６、Ｋ５、Ｋ２をこの順にクリックする。
【００５４】
すると、クライアント装置２は、動画データ特定情報中のタイムコードを参照して、動画データＤ６中のタイムコード00:00:05:10から00:00:05:20まで、動画データＤ６中のタイムコード00:00:05:05から00:00:05:17まで、動画データＤ５中のタイムコード00:00:04:00から00:00:04:10まで、動画データＤ２中のタイムコード00:00:01:01から00:00:01:04までを、ＤＶＤ１００から読み出して、ＤＶＤ１００の個盤識別情報及びクライアント装置２のＩＰアドレスと共に、認証サーバ１に送信する（動画データ送信ステップ  Ｓ１１４）。なお、クライアント装置２は、例えばユーザの確認番号の押し間違い等により、該当する動画データＤ中に該当するタイムコードが無い場合には、エラーメッセージを表示部２５に表示する。クライアント装置２から認証サーバ１に送信される動画データは、元々ＤＶＤ１００に記録されている動画データが圧縮されていることから、圧縮されている。
【００５５】
認証サーバ１は、クライアント装置２から受信した動画データを解凍する（すなわち、圧縮されたデータを元に戻す）。そして、その動画データと、認証用動画データの全部又は一部とを照合して、一致と判断した場合には所定の許可処理を行い、不一致と判断した場合には所定の不許可処理を行う（認証ステップ  Ｓ１１６〜１１８）。
【００５６】
詳しくは、認証サーバ１は、送信した動画データ特定情報を、個盤識別情報と結びつけて記憶しているので、それらの情報を参照して、記憶部１２内の認証用動画データＤ１〜Ｄ１０のうちのどの部分を照合に用いればよいかを決定する。図３の例で説明すると、クライアント装置２から個盤識別情報5473256-1096803と動画データとを受信した場合において、個盤識別情報5473256-1096803に結び付けて、動画データ特定情報として、「ウ−２」「オ−５」を示すデータ、及び、タイムコード00:00:05:10、00:00:05:20、00:00:05:05、00:00:05:17、00:00:04:00、00:00:04:10、00:00:01:01、00:00:01:04が記憶されているとすると、個盤識別情報5473256-1096803の「ウ−２」「オ−５」欄に対応する確認番号は「６６」「５２」であるので、動画データＤ６中のタイムコード00:00:05:10から00:00:05:20まで、動画データＤ６中のタイムコード00:00:05:05から00:00:05:17まで、動画データＤ５中のタイムコード00:00:04:00から00:00:04:10まで、動画データＤ２中のタイムコード00:00:01:01から00:00:01:04までを、照合に用いることとして、記憶部１２から読み出す。
【００５７】
そして、認証サーバ１は、クライアント装置２から受信して解凍した動画データと、記憶部１２から読み出した動画データとを、先頭のフレームから順に、フレーム毎に照合していく（Ｓ１１６）。各フレームは静止画データであるので、静止画データ同士を照合することとなる。
【００５８】
そして、認証サーバ１は、最後のフレームまで全部のフレームが一致すれば、一致と判断して、所定の許可処理として、所定の許可データをＷｅｂサーバ３に送信する処理を行う（Ｓ１１７）。一方、１つでも一致しないフレームが現れれば、認証サーバ１は、不一致と判断して、所定の不許可処理として、所定の不許可データをクライアント装置２に送信する処理を行う（Ｓ１１８）。なお、クライアント装置２から受信した動画データと、記憶部１２から読み出した動画データのフレーム数が一致しない場合も、不一致と判断する。
【００５９】
Ｗｅｂサーバ３に送信される許可データには、クライアント装置２のＩＰアドレスと視聴カテゴリー識別情報とが含まれている。Ｗｅｂサーバ３は、許可データを受信すると（Ｓ１１９）、クライアント装置２のＩＰアドレスを参照して、所定のＷｅｂページデータをクライアント装置２に送信する（Ｓ１２０）。クライアント装置２には、所定のＷｅｂページが表示され、ユーザはそのページを閲覧できることとなる（Ｓ１２１）。
【００６０】
なお、Ｗｅｂサーバ３は、許可データ中の視聴カテゴリー識別情報を参照することにより、閲覧させるＷｅｂページの選別を行うことができる。例えば、ユーザが認証を受けて閲覧しようとしているＷｅｂページが成年用のページである場合において、視聴カテゴリー識別情報中の年齢が未成年を示している場合には、その旨が表示されたＷｅｂページデータや別のＷｅｂページデータをクライアント装置２に送信することとして、成年用のページを閲覧させないことができる。
【００６１】
また、クライアント装置２に不許可データが送信されると、クライアント装置２は、その不許可データに基づいて、不許可の旨を表示部２５に表示する（Ｓ１２２）。これにより、ユーザは、認証が得られなかったことを知る。
【００６２】
なお、図８に示す視聴方法選択画面において、ユーザがＤＶＤプレーヤーボタン４２を選択操作すると、クライアント装置２は、図１２に示すようなビデオ再生メニュー画面を、表示部２５に表示する（Ｓ１３０）。ユーザがビデオ再生メニュー画面に設けられている例えばビデオボタン５３を選択操作すると、クライアント装置２は、ビデオボタン５３に結び付けられてＤＶＤ１００内に記録されているビデオデータを再生する（Ｓ１３１）。
【００６３】
また、図９に示す登録・認証・変更画面の変更ボタン４５は、登録されている個人情報を変更するためのボタンであり、個人情報の変更の際も、上記と同様の認証を要する。詳しくは、ユーザが変更ボタン４５を選択操作すると、クライアント装置２は、認証ボタン４４が選択操作された場合と同様に、認証サーバ１に動画データ特定情報を要求し、認証サーバ１から動画データ特定情報を受信して、図１１に示すような確認番号指定ページを表示する。ユーザが、確認番号指定ページに表示された欄に対応する確認番号を、番号キーＫで選択操作すると、クライアント装置２は特定された動画データを認証サーバ１に送信し、認証サーバ１は認証用動画データとの照合を行う。そして、認証サーバ１は、一致と判断した場合には、個人情報変更ページデータをクライアント装置２に送信する。クライアント装置２には、個人情報変更ページが表示される。個人情報変更ページは、例えば、図１０に示す個人情報登録ページと同じ構成であるが、登録済みの情報が各入力欄に入力された状態のものとする。ユーザが、個人情報変更ページにおいて個人情報を変更し、登録ボタンを選択操作すると、クライアント装置２は、変更された個人情報を認証サーバ１に送信し、認証サーバ１は、受信した個人情報で元の個人情報を更新する。一方、認証サーバ１は、不一致と判断した場合には、不許可の旨を示すデータをクライアント装置２に送信し、クライアント装置２は不許可の旨を表示する。
【００６４】
このように、一旦登録された個人情報は、認証を経ないと閲覧・変更できないように構成して、個人情報の不正な閲覧や変更を防止している。
【００６５】
上述した認証方法によれば、回線上を流れる認証用の情報が動画データであるため、ハッキング等により回線途中から漏洩しても、読取りが困難である。このため、認証用の情報を読取られて不正アクセスが行われる虞が小さく、セキュリティ性に優れることとなる。
【００６６】
しかも、ＤＶＤ１００に記録された圧縮動画データを認証用の情報として用いているため、回線負担が軽減されるとともに、圧縮された動画信号はコピーされ難いことから、さらにセキュリティ性に優れることとなる。
【００６７】
また、クライアント装置２が認証サーバ１に動画データ特定情報を要求し、認証サーバ１から送信された動画データ特定情報に基づいて特定された動画データを、認証用の情報として用いているので、認証の度に、認証用の動画データを異ならせることができる。すなわち、認証の度に認証用の情報を変更できるため、よりセキュリティ性に優れることとなる。
【００６８】
さらに、従来から規格化されＤＶＤ内の動画データに付されているタイムコードを利用して、認証用の動画データを特定しているので、動画データの特定を容易かつ正確に行うことができる。そしてさらに、タイムコードを用いて言わば細切れにした動画データを認証用の情報として用いることとすれば、回線を流れるデータ量を小さくして、回線負担をより軽減することができる。
【００６９】
また、欄の識別情報を確認番号に置き換える確認番号カード９を用いているので、確認番号カード９とＤＶＤ１００の両方が揃わなければ、認証が得られないこととなる。このため、ＤＶＤ１００のみの不正取得者によるアクセスを防止することができる。
〈変形例〉
以下、変形例について説明する。
【００７０】
上記実施形態では、図３に示すように、動画データＤ１〜Ｄ１０内でタイムコードを重複しないように付したが、例えば動画データＤ１〜Ｄ１０にそれぞれタイムコード00:00:00:00〜00:00:00:29を付す等、重複したタイムコードを付してもよい。欄の識別情報とタイムコードとにより、どの動画データＤ中のどの部分かは特定可能であるからである。
【００７１】
また、タイムコードを用いず、動画データ特定情報を欄の識別情報のみにより構成することもできる。かかる場合には、その欄に対応する確認番号で特定された動画データＤの全部を、認証用の情報として用いることとなる。
【００７２】
また、確認番号カード９を用いない実施形態とすることもできる。かかる実施形態の例を挙げれば、認証サーバ１は、図６のステップＳ１１１において、欄を選択する代りに確認番号を選択し、その確認番号を表示する確認番号指定ページデータをクライアント装置２に送信する。クライアント装置２には、確認番号指定ページが表示されるが、この確認番号指定ページには、図１１のように欄の識別情報が表示される代りに、確認番号が例えば「６６５２」のように直接表示される。ユーザは、この確認番号を見て番号キーＫをクリックする。以下の動作は、上記実施形態と同様である。かかる場合、動画データ特定情報は、確認番号及びタイムコードとなる。なお、確認番号で特定された動画データＤの全部を認証用の情報として用いることとすれば、動画データ特定情報を確認番号のみとすることもできる。
【００７３】
また、動画データＤ１〜Ｄ１０内でタイムコードを重複しないように付せば、動画データ特定情報を、タイムコードのみにより構成することもできる。かかる実施形態の例を挙げれば、認証サーバ１は、図６のステップＳ１１１において、欄を選択する代りに始点のタイムコードと終点のタイムコードとを選択し、それらのタイムコードを表示する確認番号指定ページデータをクライアント装置２に送信する。クライアント装置２には、確認番号指定ページが表示されるが、この確認番号指定ページには、図１１のように欄の識別情報が表示される代りに、始点のタイムコードと終点のタイムコードが直接表示される。ユーザは、それらのタイムコードを番号キーＫでクリックする。クライアント装置２は、動画データＤ１〜Ｄ１０から、それらのタイムコードで示される部分を読み出して、認証サーバ１に送信する。以下の動作は、上記実施形態と同様である。かかる場合も、確認番号カード９は不要である。
【００７４】
また、始点のタイムコードと終点のタイムコードとを用いる代わりに、始点のタイムコードと、そのタイムコードから何フレーム取り出すかというフレーム数とを用いて、動画データＤから読み出す部分を特定するようにしてもよい。
【００７５】
さらに、タイムコード以外の、タイムライン上のフレームを示す情報を用いて動画データを特定するように構成してもよい。タイムラインとは、動画データを構成する静止画を時系列に並べたものを言う。タイムライン上のフレームを示す情報としては、例えば、タイムライン上の先頭から何番目のフレームかを示す情報（以下、「フレーム番号」という。）がある。かかる実施形態の例を挙げれば、動画データ特定情報送信ステップ（Ｓ１１１）において、認証サーバ１は、選択した欄に対応する確認番号で示される動画データの各々について、タイムコードの代わりに、その動画データのどこからどこまでを取り出すかを示すフレーム番号（ここでは、取り出す範囲の始点のフレーム番号と終点のフレーム番号とする。）を、その動画データのフレーム番号の範囲内でランダムに選択し、確認番号指定ページデータと共にクライアント装置２に送信する。動画データ送信ステップにおいて（Ｓ１１４）、クライアント装置２は、動画データ特定情報中の始点のフレーム番号と終点のフレーム番号とを参照して、確認番号で特定された動画データＤの中の該当する範囲のフレームを、ＤＶＤ１００から読み出して、認証サーバ１に送信する。例えば、確認番号で特定された動画データが図３に示す動画データＤ１で、始点のフレーム番号が０３、終点のフレーム番号が０６の場合、クライアント装置２は、動画データＤ１の先頭から３番目のフレームＦ１１３から６番目のフレームＦ１２１までを読み出すこととなる。
【００７６】
このように、動画データ特定情報として何を用いるかは、適宜変更可能である。
【００７７】
付言すれば、ＤＶＤ内の動画データは、タイムコード等の規則正しい信号番地の上で制御され再生される静止画（フレーム）の集合体である。かかるＤＶＤ内の動画データを利用して、静止画を連続して繋ぐことで、通常の数字や文字からなるパスワードとは異なり、読取りやコピーが困難な複雑なパスワードを作成でき、かかるパスワードを用いることにより、セキュリティ性に優れた認証方法を実現できる。
【００７８】
また、認証サーバ１がＷｅｂサーバ３を兼ねることとしてもよく、認証が得られた場合に、認証サーバ１から所定のＷｅｂページデータがクライアント装置２に送信されるように構成してもよい。
【００７９】
また、クライアント装置２は、パソコンに限らない。
【００８０】
また、所定の許可処理及び不許可処理も上述したものに限られず、例えば、所定の許可処理を、所定の許可データをクライアント装置２に送信する処理としてもよい。かかる場合、所定の許可データを、認証サーバ１が有する所定のＷｅｂページデータとし、そのＷｅｂページデータによって表示されるＷｅｂページには、それぞれ閲覧可能なサイトにリンクされたバナー等が複数表示されるものとすれば、ユーザは一回の認証で複数のサイトを閲覧可能となる。
【００８１】
また、上記実施形態では、記録ディスクとしてＤＶＤ１００を用いたが、本発明に用いる記録ディスクは、動画データを記録可能なものであればよく、ブルーレイディスクやＨＤ  ＤＶＤ等の所謂次世代ＤＶＤと呼ばれるものであってもよい。また、ＤＶＤ、ブルーレイディスク、ＨＤ  ＤＶＤはいずれも光ディスクであるが、光ディスク以外の記録ディスクであってもよい。
【００８２】
すなわち、特許請求の範囲を逸脱しない範囲で、本発明は種々の構成を採り得る。
【図面の簡単な説明】
【００８３】
【図１】本発明の一実施形態に係る認証サーバ及びクライアント装置を含む認証システムの全体構成を示すとともに、ユーザがクライアント装置においてＷｅｂサーバに格納されている情報の閲覧を希望する場合の処理の流れの概略を示す図である。
【図２】認証サーバの概略構成を示すブロック図である。
【図３】動画データの構造を説明するための図である。
【図４】個盤・個人情報データベースの内容を説明するための図である。
【図５】クライアント装置の概略構成を示すブロック図である。
【図６】本発明の一実施形態に係る認証方法を用いた処理の流れを示すフローチャートである。
【図７】確認番号カードの例を示す図である。
【図８】視聴方法選択画面の例を示す図である。
【図９】登録・認証・変更画面の例を示す図である。
【図１０】個人情報登録ページの例を示す図である。
【図１１】確認番号指定ページの例を示す図である。
【図１２】ビデオ再生メニュー画面の例を示す図である。
【符号の説明】
【００８４】
１…認証サーバ
２…クライアント装置
１２…記憶部（記憶手段）
１００…ＤＶＤ（記録ディスク）
【図１】
2007323520.tif 000003
【図２】
2007323520.tif 000004
【図３】
2007323520.tif 000005
【図４】
2007323520.tif 000006
【図５】
2007323520.tif 000007
【図６】
2007323520.tif 000008
【図７】
2007323520.tif 000009
【図８】
2007323520.tif 000010
【図９】
2007323520.tif 000011
【図１０】
2007323520.tif 000012
【図１１】
2007323520.tif 000013
【図１２】
2007323520.tif 000014